(57)【要約】【課題】ベッド揺籃を支えた受け盤を下から支えつつ、一定角度で揺動させるようにする。【解決手段】両側の支えフレーム１，１ａを支え棒１ｂを渡して固定し、両フレーム間に架設したクランク状の支え竿２０３，２０４上に受け盤２を設置し、受け盤２上にベッド揺藍３の支え脚４を接続し、支え棒１ｂの中間部に、通電して一定角度の回転と復元を繰返し作動する外筒１３を有する電磁石１２を固定し、外筒１３に突出横棒１３ｃを装着し、突出横棒端部に前後両方向に伸びたシリコンゴムひも１６，１６を装着し、その他端部を夫々支え竿受け盤２底部に固定して、受け盤２を前後方向に引張るように装着し、電磁石１２の往復回転により受け盤２を前後に往復運動させるように構成してなるベッド揺藍の揺動装置。【選択図】　　　図３
0003096816.tif 000002
【実用新案登録請求の範囲】
【請求項１】
両側の支えフレーム１，１ａを支え棒１ｂを渡して固定し、両フレーム間に架設したクランク状の支え竿２０３，２０４上に受け盤２を設置し、受け盤２上にベッド揺籃３の支え脚４を接続し、支え棒１ｂの中間部に、通電して一定角度の回転と復元を繰返し作動する外筒１３を有する電磁石１２を固定し、外筒１３に突出横棒１３ｃを装着し、突出横棒端部に前後両方向に伸びたシリコンゴムひも１６，１６を装着し、その他端部を夫々支え竿受け盤２底部に固定して、受け盤２を前後方向に引張るように装着し、電磁石１２の往復回転により受け盤２を前後に往復運動させるように構成してなるベッド揺籃の揺動装置。
【請求項２】
車輪１００を付けた両側の支えフレーム１，１ａを支え棒１ｂを渡して固定し、両フレーム間にクランク状（上向きコの字状両端を水平突出させた形状）の支え竿２０３，２０４を架設し、支え竿２０３，２０４上に受け盤２を設置し、受け盤２上にベッド揺籃３の支え脚４を接続して、ベッド揺籃３を前後に揺れるようにしたベッド揺籃３において、
両側支えフレーム１，１ａを固定する支え棒１ｂの中央に電磁石１２の中心コア１２ａを嵌め込んで固定し、中心コア１２ａの両側に露出する支え棒１ｂに軸受１５を嵌め付け、軸受の外径が電磁石外筒１３の支え板１３ａの中心孔に固定するようにし、その後電磁石の外筒１３内面の両側に永久マグネット１４，１４ａを付着し、外筒上端に突出横棒１３ｃを突出して付着し、突出横棒１３ｃの先に二本のシリコンゴムひも１６，１６を前後両方向に伸ばし、その各外側端を夫々支え竿受け盤２の底部に固定棒３０を介して固定し、受け盤２を両側方向に引張るように装置し、支えフレームの内側に制御機３００を装置して電磁石１２の力により受け盤２を前後に往復運動ができるように構成してなるベッド揺籃の揺動装置。
【請求項３】
制御機３００は、電源スイッチ２９を作動させ駆動コントローラ１７が作動すれば、振幅を電気的信号に変換させて駆動ドライブ１８に伝え、電気的信号を増加させて電磁石１２の中心コア１２ａへ送り、振幅連動を開始し、振幅を抑えるために駆動ドライブ１８と同時に振幅調節装置３１を作動させて一定振幅を維持できるようにし、外筒１３の回転範囲を決めるようにした構成を有する請求項１又は２に記載のベッド揺籃の揺動装置。
【考案の詳細な説明】
【０００１】
【考案の属する技術分野】
本考案は、揺籃を兼ねるように作られたベビーカーなどのベッドに、電磁石により駆動する駆動装置を付着し、ベッドをぶらんこのように揺動させることができるようにした電動ベッド揺籃の駆動装置に関するものである。
【０００２】
【従来の技術】
従来、ベビーカーで、電磁石の力で揺壁を駆動させてぶらんこのように揺れるようにした装置か何種類か開発されて使われている。しかし、従来の装置は揺籃支えフレームの上端部に電磁石を装置し、その側面にクランクロードを繋ぎ揺動装置を駆動させる構成なので、電磁石装置が露出することによって外観がよくないというだけではなく、取扱いが煩わしく、作動騒音があまりにも大きいという不便さがあった。
【０００３】
【考案が解決しようとする課題】
本考案は、従来のこのような不便さを解決するために案出されたもので、支え棒に嵌められ双方向に回動する電磁石の外筒にシリコンゴムひもを付け、受け盤を揺動させることによって、受け盤上の接続したベッド揺籃を安全で便利に往復運動させるようにしたベッド揺籃の駆動装置を提供するものである。
【０００４】
【課題を解決するための手段】
本考案は、上記課題を解決するために、両側の支えフレーム１，１ａを支え棒１ｂを渡して固定し、両フレーム間に架設したクランク状の支え竿２０３，２０４上に受け盤２を設置し、受け盤２上にベッド揺籃３の支え脚４を接続し、支え棒１ｂの中間部に、通電して一定角度の回転と復元を繰返し作動する外筒１３を有する電磁石１２を固定し、外筒１３に突出横棒１３ｃを装着し、突出横棒端部に前後両方向に伸びたシリコンゴムひも１６，１６を装着し、その他端部を夫々支え竿受け盤２底部に固定して、受け盤２を前後方向に引張るように装着し、電磁石１２の往復回転により受け盤２を前後に往復運動させるようにしてベッド揺籃の揺動装置を構成したことを特徴とする。
【０００５】
本考案は、さらに、車輪１００を付けた両側の支えフレーム１，１ａを支え棒１ｂを渡して固定し、両フレーム間にクランク状（上向きコの字状両端を水平突出させた形状）の支え竿２０３，２０４を架設し、支え竿２０３，２０４上に受け盤２を設置し、受け盤２上にベッド揺籃３の支え脚４を接続して、ベッド揺籃３を前後に揺れるようにしたベッド揺籃３において、
両側支えフレーム１，１ａを固定する支え棒１ｂの中央に電磁石１２の中心コア１２ａを嵌め込んで固定し、中心コア１２ａの両側に露出する支え棒１ｂに軸受１５を嵌め付け、軸受の外径が電磁石外筒１３の支え板１３ａの中心孔に固定するようにし、その後電磁石の外筒１３内面の両側に永久マグネット１４，１４ａを付着し、外筒上端に突出横棒１３ｃを突出して付着し、突出横棒１３ｃの先に二本のシリコンゴムひも１６，１６を前後両方向に伸ばし、その各外側端１６ａを夫々支え竿受け盤２の底部に固定棒３０を介して固定し、受け盤２を両側方向に引張るように装置し、支えフレームの内側に制御機３００を装置して電磁石１２の力により受け盤２を前後に往復運動ができるようにしてベッド揺籃の揺動装置を構成したことも特徴とする。
【０００６】
また、上記構成における制御機３００は、電源スイッチ２９を作動させ駆動コントローラ１７が作動すれば、振幅を電気的信号に変換させて駆動ドライブ１８に伝え、電気的信号を増加させて電磁石１２の中心コア１２ａへ送り、振幅連動を開始し、振幅を抑えるために駆動ドライブ１８と同時に振幅調節装置３１を作動させて一定振幅を維持できるようにし、外筒１３の回転範囲を決めるようにした構成とするのが好ましい。
【０００７】
【考案の実施の形態】
以下、添付図面に依拠してより詳しく説明する。
図１、２は本考案のベッド揺籃の全体図、図３はその駆動装置部分、図４、５は電磁石部分を示し、図６、７は揺動作動、図８は制御機構を示してある。
【０００８】
本考案の制御機３００は、図８に示すように、電源スイッチ２９を作動させ駆動コントローラ１７が作動すれば、振幅を電気的信号に変換して駆動ドライブ１８に伝え、電気的信号を増加させ電磁石１２の中心コア１２ａへ送り、振幅連動を開始するようになり、振幅を抑えるために駆動ドライブ１８と同時に振幅調節装置３１を作動させて振幅を一定に維持できるようにし、外筒１３の回転範囲を決めるようにしてある。
【０００９】
また、タイマー１９を具備して作動させれば、駆動コントローラ１７とメロディー２０を一定時間作動させることができる。この時、一定のメロディー２０が作動してアンプ２１を介してスピーカー２２を通して聞けるように構成される。また、タイマー１９により作動する音声感知センサー２３と赤ん坊の動作感知センサー２４を具備し、赤ん坊の動作や声が感知されれば、アンプ２１を通して既存の父母の音声録音装置２５を用いて父母の音声再生機２６に録音し、赤ん坊の動作感知センサー２４と音声感知センサー２３により感知されれば父母の音声か出るように構成してある。
【００１０】
そしてリモートコントローラ２７を利用して電源スイッチ２９、タイマー１９、速度調節メロディー２０を調節できるように構成し、リモコン受信部２８を通して動作するように構成されている。
【００１１】
而して、本考案のベッド揺籃の構成は、このベッド揺籃の構成は、車輪１００を付けた両側の支えフレーム１，１ａを支え棒１ｂを渡して固定し、両フレーム間にクランク状（上向きコの字状両端を水平突出させた形状）の支え竿２０３，２０４を架設し、支え竿２０３，２０４上に受け盤２を設置し、受け盤２上にベッド揺籃３の支え脚４を接続して、ベッド揺籃３を前後に揺れるようにしたベッド揺籃３の構成を有している。
【００１２】
両側支えフレーム１，１ａを固定する支え棒１ｂの中央に電磁石１２の中心コア１２ａを嵌め込んで固定し、中心コア１２ａの両側に露出する支え棒１ｂに軸受１５を嵌め付け、軸受の外径が電磁石外筒１３の支え板１３ａの中心孔に固定するようにし、その後電磁石の外筒１３内面の両側に永久マグネット１４，１４ａを付着し、外筒上端に突出横棒１３ｃを突出して付着し、突出横棒１３ｃの先に二本の棒状のシリコンゴムひも１６，１６を前後両方向に伸ばし、その各外側端を夫々支え竿受け盤２の底部に固定棒３０を介して両側方向に引張るように装置し、支えフレームの内側に制御機３００を装置して電磁石１２の力により受け盤２を前後に往復運動ができるようにしてある。
【００１３】
電磁石１２は、図６、７に示してあるように、電源を供給すると中心コア１２ａが磁化されて永久磁石１４，１４ａを押し、支え板１３ａにより中心コア１２ａと分離されている外筒１３が一定角ほど回転し、電磁石１２に供給された電源を中断させれば電磁石１２が磁力を失いながら永久磁石１４，１４ａの中心コア１２ａに引張られる復元力が受け盤２の重量と結合して外筒１２に作用するので、このような作動がシリコンゴムひも１６を介して受け盤２に伝えられ、受け盤２を前後に移動させるので、ベッド揺籃３の本体をぶらんこのように揺らすようになる。
【００１４】
【考案の効果】
したがって、本考案は最安定位置でベッド揺籃の本体をぶらんこのように双方向に往復させることができるだけではなく、低電力をもって駆動することもできる。また、安定した作動をし、電磁石装置が外部に露出せず外部との摩擦懸念がないので安全であり、かつ力の中心が下向けの地点で電磁石を用いて支え竿の受け盤を往復回動させるので容易に揺らすことができる。しかも、外筒１３の横棒に弾力部材からなるシリコンゴムひもを繋いで一定の振幅を維持することができるので動作の信頼性を高めるという利点がある。
【図面の簡単な説明】
【図１】本考案の側面例示図。
【図２】本考案の一部切断状態の正面例示図。
【図３】本考案の揺動装置部分を一部破断して示した部分斜視図。
【図４】本考案の電磁石構造を示した分解斜視図。
【図５】本考案の電磁石の断面図。
【図６】本考案の受け盤が左側に移動した状態を示す切断側面図。
【図７】図６の受け盤が右側に移動した状態を示す切断側面図。
【図８】本考案の駆動装置の系統図。
【符号の説明】
１，１ａ　支えフレーム
１ｂ　　　支え棒
２　　　　受け盤
３　　　　ベッド揺籃
４　　　　支え脚
１２　　　電磁石
１２ａ　　中心コア
１３　　　外筒
１３ａ　　支え板
１３ｃ　　横棒
１４，１４ａ　永久磁石
１５　　　軸受
１６，１６　シリコンゴムひも
１７　　　駆動コントローラ
１８　　　駆動ドライブ
１９　　　タイマー
２０　　　メロディー
２１　　　アンプ
２２　　　スピーカー
２３　　　音声感知センサー
２４　　　動作感知センサー
２５　　　音声録音装置
２６　　　音声再生機
２７　　　リモートコントローラ
２８　　　リモコン受信部
２９　　　電源スイッチ
３０　　　固定棒
３１　　　振幅調節装置
１００　　車輪
１０１，１０２　支えフレーム軸孔
２０３，２０４　支え竿
３００　　制御機
【図１】
0003096816.tif 000003
【図２】
0003096816.tif 000004
【図３】
0003096816.tif 000005
【図４】
0003096816.tif 000006
【図５】
0003096816.tif 000007
【図６】
0003096816.tif 000008
【図７】
0003096816.tif 000009
【図８】
0003096816.tif 000010